(57)【要約】【課題】  写真撮影装置で撮影した画像から背景を切り抜いた画像をユーザ端末で手軽に入手し、容易に編集可能とする撮影システム及び写真撮影装置を提供する。【解決手段】  ユーザ端末５とサーバ３と写真撮影装置２とがネットワーク６を介して通信接続された撮影システム１において、写真撮影装置２は、撮影室内で撮影した画像から背景を除去した画像である背景除去画像８１を生成するとともに背景除去画像８１の識別情報を発行し、背景除去画像８１及び識別情報をサーバ３に送信する。サーバ３は、写真撮影装置１から送信された背景除去画像８１及び識別情報を紐づけて記憶する。ユーザ端末５が、サーバ３に対して所望の背景除去画像８１の識別情報を送信すると、サーバ３は、ユーザ端末５からの要求に応じて背景除去画像８１を読み出し、要求元のユーザ端末５に送信する。【選択図】図８
2019149617.tif 000002
【特許請求の範囲】
【請求項１】
被写体を撮影し、写真をプリントする写真撮影装置と、ユーザ端末と、サーバとがネットワークを介して通信接続された撮影システムであって、
前記写真撮影装置は、
撮影室内の被写体を撮影する撮影手段と、
前記撮影手段により撮影した画像から背景を除去した画像である背景除去画像を生成する背景除去画像生成手段と、
前記背景除去画像の識別情報を発行する識別情報発行手段と、
前記背景除去画像を前記識別情報とともにネットワークを介してサーバに送信する送信手段と、を備え、
前記サーバは、
前記写真撮影装置から送信された前記背景除去画像及び前記識別情報を受信する受信手段と、
前記受信手段により受信した背景除去画像と識別情報とを紐づけて記憶する記憶手段と、
前記ユーザ端末からの要求に応じて前記記憶手段に記憶された背景除去画像を送信する送信手段と、を備え、
前記ユーザ端末は、
前記サーバに対して所望の背景除去画像の識別情報を送信する送信手段と、
前記識別情報に紐づけて記憶された背景除去画像を前記サーバから受信する受信手段と、
を備えることを特徴とする撮影システム。
【請求項２】
前記写真撮影装置は、
前記背景除去画像の識別情報が記載されたチケットをプリントする印刷手段を更に備えることを特徴とする請求項１に記載の撮影システム。
【請求項３】
前記写真撮影装置は、
背景色の選択を受け付ける選択手段と、
前記撮影室の背景を選択された背景色に変更する背景色変更手段と、
を更に備えることを特徴とする請求項１または請求項２に記載の撮影システム。
【請求項４】
前記写真撮影装置は、
被写体領域の色を解析し、解析された色に基づいて背景色を設定する背景色設定手段を更に備えることを特徴とする請求項１または請求項２に記載の撮影システム。
【請求項５】
撮影室内の被写体を撮影する撮影手段と、
前記撮影手段により撮影した画像から背景を除去した画像である背景除去画像を生成する背景除去画像生成手段と、
前記背景除去画像の識別情報を発行する識別情報発行手段と、
前記背景除去画像を前記識別情報とともにネットワークを介してサーバに送信する送信手段と、
を備えることを特徴とする写真撮影装置。
【発明の詳細な説明】
【技術分野】
【０００１】
本発明は、撮影システム、及び写真撮影装置に関する。
【背景技術】
【０００２】
従来より、クロマキーを利用した背景合成を行って写真を作成し、プリントする写真撮影装置が知られている。この種の写真撮影装置では、装置に予め用意された前景・背景を撮影画像と合成して、前景・背景の世界観に入り込んだような写真を手軽に得ることが可能となっている（非特許文献１）。
【０００３】
また、特許文献１には、写真撮影装置で撮影した被写体の画像と、ユーザの携帯端末から取得した画像とを重ねた合成画像を作成することで、撮影画像に含まれる被写体が携帯端末から取得した画像に写り込んだように見える写真を作成する写真撮影装置が開示されている。
【０００４】
ところで、近年、アニメ等のコンテンツのキャラクターに扮する、いわゆるコスプレが楽しまれており、コスプレ衣装を着用して撮影した画像を用いた作品制作等も行われている。しかし、背景が現実の世界のままでは仮想の世界への没入感に欠けてしまうため、背景を自在に加工して、より印象的な画像作品を制作したいというユーザの要望がある。
【先行技術文献】
【特許文献】
【０００５】
【特許文献１】特開２０１５−１７９８９２号公報
【非特許文献】
【０００６】
【非特許文献１】株式会社ＤＮＰフォトイメージングジャパン、”写ｇｏｏ！”、［online］、［平成30年2月6日検索］、インターネット〈URL：http://www.dnpphoto.jp/products/shagoo/〉
【発明の概要】
【発明が解決しようとする課題】
【０００７】
しかしながら、街頭等に置かれた写真撮影装置では、予め用意されたいくつかの前景・背景しか選択できず、充分な満足感が得られないという問題があった。また、写真撮影装置は多くの利用客が順番に利用するものであるため、美肌加工のような画質調整を行ったり、トリミングや拡大、縮小、回転等の加工を加えるといった時間のかかる編集作業をその場で落ち着いて行うことは困難であった。
【０００８】
本発明は上記の問題に鑑みてなされたものであり、写真撮影装置で撮影した画像から背景を切り抜いた画像をユーザ端末で手軽に入手し、容易に編集可能とする撮影システム及び写真撮影装置を提供することを目的とする。
【課題を解決するための手段】
【０００９】
前述した課題を解決するための第１の発明は、被写体を撮影し、写真をプリントする写真撮影装置と、ユーザ端末と、サーバとがネットワークを介して通信接続された撮影システムであって、前記写真撮影装置は、撮影室内の被写体を撮影する撮影手段と、前記撮影手段により撮影した画像から背景を除去した画像である背景除去画像を生成する背景除去画像生成手段と、前記背景除去画像の識別情報を発行する識別情報発行手段と、前記背景除去画像を前記識別情報とともにネットワークを介してサーバに送信する送信手段と、を備え、前記サーバは、前記写真撮影装置から送信された前記背景除去画像及び前記識別情報を受信する受信手段と、前記受信手段により受信した背景除去画像と識別情報とを紐づけて記憶する記憶手段と、前記ユーザ端末からの要求に応じて前記記憶手段に記憶された背景除去画像を送信する送信手段と、を備え、前記ユーザ端末は、前記サーバに対して所望の背景除去画像の識別情報を送信する送信手段と、前記識別情報に紐づけて記憶された背景除去画像を前記サーバから受信する受信手段と、を備えることを特徴とする撮影システムである。
【００１０】
本発明の撮影システムでは、写真撮影装置は、撮影室内で撮影した画像から背景を除去した画像である背景除去画像を生成するとともに背景除去画像の識別情報を発行し、背景除去画像及び識別情報をサーバに送信する。サーバは、写真撮影装置から送信された背景除去画像及び識別情報を紐づけて記憶手段に記憶する。ユーザ端末が、サーバに対して所望の背景除去画像の識別情報を送信すると、サーバは、ユーザ端末からの要求に応じて記憶手段から背景除去画像を読み出し、要求元のユーザ端末に送信する。これにより、本発明に係る撮影システムでは、写真撮影装置で撮影した画像から背景を切り抜いた背景除去画像をユーザ端末で手軽にダウンロードできる。そのため、ユーザは、自身のユーザ端末で背景除去画像と所望の背景とを合成する等、自分の好きなように加工、編集することができ、満足のいく画像を得ることが可能となる。また、多くの利用客が順番に利用する写真撮影装置では実施しにくい編集作業をユーザ端末で落ち着いて行うことができるため、ユーザにとって満足度の高いサービスを提供することが可能となる。また、写真撮影装置の待ち時間が減少し、顧客の回転率も向上する。
【００１１】
また、前記写真撮影装置は、前記背景除去画像の識別情報が記載されたチケットをプリントする印刷手段を更に備えることが望ましい。サーバから画像を受信（ダウンロード）するために必要な情報がチケットに印刷されるため、ユーザは確実に画像をダウンロードすることができる。
【００１２】
また、前記写真撮影装置は、背景色の選択を受け付ける選択手段と、前記撮影室の背景を選択された背景色に変更する背景色変更手段と、を更に備えることが望ましい。背景色をユーザが望む色に変更できるため、被写体に含まれる色が背景色とともに除去されてしまうことを避けることができる。
【００１３】
また、前記写真撮影装置は、被写体領域の色を解析し、解析された色に基づいて背景色を設定する背景色設定手段を更に備えることが望ましい。これにより、ユーザが背景色を選択しなくとも、適切な背景色で撮影が行われるため、被写体に含まれる色が背景色とともに除去されてしまうことを避けることができる。
【００１４】
第２の発明は、撮影室内の被写体を撮影する撮影手段と、前記撮影手段により撮影した画像から背景を除去した画像である背景除去画像を生成する背景除去画像生成手段と、前記背景除去画像の識別情報を発行する識別情報発行手段と、前記背景除去画像を前記識別情報とともにネットワークを介してサーバに送信する送信手段と、を備えることを特徴とする写真撮影装置である。
【００１５】
第２の発明の写真撮影装置は、撮影室内で撮影した画像から背景を除去した画像である背景除去画像を生成するとともに背景除去画像の識別情報を発行し、背景除去画像及び識別情報をサーバに送信する。これにより、ユーザはユーザ端末からサーバにアクセスして背景除去画像をダウンロードすることが可能となる。これにより、写真撮影装置で撮影した画像から背景を切り抜いた背景除去画像をユーザ端末で手軽にダウンロードするこが可能となす。そのため、ユーザは自身のユーザ端末で背景除去画像と所望の背景とを合成する等、自分の好きなように加工、編集することができ、満足のいく画像を得ることが可能となる。また、多くの利用客が順番に利用する写真撮影装置では実施しにくい編集作業をユーザ端末で落ち着いて行うことができるため、ユーザにとって満足度の高いサービスを提供することが可能となる。また、写真撮影装置の待ち時間が減少し、顧客の回転率も向上する。
【発明の効果】
【００１６】
本発明により、写真撮影装置で撮影した画像から背景を切り抜いた画像をユーザ端末で手軽に入手し、容易に編集可能とする撮影システム及び写真撮影装置を提供することが可能となる。
【図面の簡単な説明】
【００１７】
【図１】撮影システム１を示す図
【図２】写真撮影装置２の外観を示す図
【図３】写真撮影装置２の構成を示す図
【図４】制御装置２０のハードウェア構成を示す図
【図５】サーバ３のハードウェア構成を示す図
【図６】ユーザ端末５のハードウェア構成を示す図
【図７】第１の実施の形態における画像アップロード処理の流れを説明する図
【図８】画像アップロード処理の概要を示す図
【図９】ダウンロードチケット４０の一例を示す図
【図１０】画像ダウンロード処理の流れを説明する図
【図１１】ユーザ端末５の画面例。（ａ）コード入力画面９１、（ｂ）画像ダウンロード画面９２
【図１２】第２の実施の形態における画像アップロード処理の流れを説明する図
【図１３】第２の実施の形態における画像アップロード処理の概要を示す図
【図１４】第３の実施の形態における画像アップロード処理の流れを説明する図
【発明を実施するための形態】
【００１８】
以下、図面に基づいて本発明の好適な実施形態について詳細に説明する。
【００１９】
［第１の実施の形態］
図１は本発明の実施形態に係る撮影システム１を示す図である。図１に示すように、本実施形態の撮影システム１は、写真撮影装置２、サーバ３、及びユーザ端末５がネットワーク６を介して通信可能に接続された構成を有する。
【００２０】
写真撮影装置２はユーザが自身の撮影を行うものであり、例えば観光地やイベント会場、アミューズメント施設、街頭等に設置された撮影ボックスである。写真撮影装置２は撮影室内の被写体７（ユーザ）を撮影してその画像を写真としてプリントする機能（写真撮影サービス）に加え、写真撮影装置２で撮影した画像をサーバ３にアップロードし、ユーザ端末５からサーバ３にアクセスして撮影画像をユーザ端末５にダウンロードする通信機能（画像アップロードサービス）を有する。
【００２１】
図２は写真撮影装置２の外観を示す図であり、図３は写真撮影装置２の構成を示す図である。
【００２２】
写真撮影装置２はユーザが撮影室に入って撮影を行うボックス状の外観を有し、制御装置２０、表示部２１、課金部２２、撮影部２３、照明２４、プリンタ２５、プリント物取出口２６、背景モニタ２７、カーテン２８、センサ２９等を有する。
【００２３】
制御装置２０は写真撮影装置２の内部に設けられ、写真撮影装置２の処理全体を制御する。
【００２４】
図４は制御装置２０のハードウェア構成を示す図である。図４に示すように、制御装置２０は、例えば制御部２０１、記憶部２０２、入力部２０３、通信部２０４等をバス等により接続して構成したコンピュータにより実現できる。但しこれに限ることなく、適宜様々な構成をとることができる。
【００２５】
制御部２０１はＣＰＵ（Central Processing Unit）、ＲＯＭ（Read Only Memory）、ＲＡＭ（Random Access Memory）等から構成される。ＣＰＵは、記憶部２０２、ＲＯＭ等の記憶媒体に格納された制御装置２０の処理に係るプログラムをＲＡＭ上のワークエリアに呼び出して実行する。ＲＯＭは不揮発性メモリであり、ブートプログラムやＢＩＯＳ等のプログラム、データ等を恒久的に保持している。ＲＡＭは揮発性メモリであり、記憶部２０２、ＲＯＭ等からロードしたプログラムやデータを一時的に保持するとともに、制御部２０１が各種処理を行うために使用するワークエリアを備える。
【００２６】
記憶部２０２はハードディスクドライブやソリッドステートドライブ、フラッシュメモリ等であり、後述する処理に際し制御装置２０が実行するプログラム、プログラム実行に必要なデータ、ＯＳ等が格納される。これらのプログラムやデータは、制御部２０１により必要に応じて読み出され実行される。
【００２７】
入力部２０３は制御装置２０に各種の設定入力を行うものである。
通信部２０４はネットワーク６等を介した通信を媒介する通信インタフェースであり、サーバ３等との間で通信を行う。
【００２８】
図２、３の説明に戻る。表示部２１は、写真撮影装置２の入力部を兼ねたタッチパネル付ディスプレイ等により実現される。表示部２１は、ユーザの操作・選択に係る各種の画面を表示し、画面上のタッチ操作によるユーザの指示入力等を受付ける。
【００２９】
課金部２２は、硬貨や紙幣の投入口、つり銭返却口、レシート取出口、レシートプリンタ等（不図示）を備え、ユーザからの課金やレシートの発行を管理する。
【００３０】
撮影部２３は、撮影窓の内側にカメラ等を設けたものである。カメラには例えば高解像度のデジタルカメラが用いられるが、これに限ることはない。
【００３１】
照明２４は、ユーザを含む写真撮影装置２内の全体を照らす照明である。照明２４は例えば白色の光を照射する面光源であり、撮影部２３の上部に設けられるが、これに限ることはない。なお、写真撮影装置２内には撮影時のフラッシュ用にストロボ光源も設けられる。
【００３２】
プリンタ２５は、画像をプリントするものであり、写真撮影装置２の内部に設けられる。画像をプリントしたプリント物はプリント物取出口２６から排出される。プリンタ２５の方式や設置台数等は特に問わない。
【００３３】
背景モニタ２７は、撮影室内の撮影部２３に対向する面、すなわち被写体７の背景となる面を画面とする表示装置である。背景モニタ２７には、クロマキー処理を行うための背景色（例えばグリーンやブルー等の単色）が表示される。背景モニタ２７に表示される色は変更可能とすることが望ましい（第２、第３の実施の形態）。また、背景モニタ２７に代えて、グリーンやブルー等の単色のロールスクリーンを用いてもよい。
【００３４】
カーテン２８は、写真撮影装置２の内部を外部から遮るものである。
【００３５】
センサ２９は、写真撮影装置２の撮影室内に入ったユーザを検知するセンサである。センサ２９は例えば赤外線センサであるが、これに限ることはない。
【００３６】
図１の説明に戻る。サーバ３は、写真撮影装置２で撮影した画像または写真撮影装置２でプリントする画像を管理するサーバである。
【００３７】
図５は、サーバ３のハードウェア構成を示す図である。図５に示すように、サーバ３は、例えば制御部３１、記憶部３２、表示部３３、入力部３４、及び通信部３５等をバス等により接続して構成したコンピュータにより実現できる。但しこれに限ることなく、適宜様々な構成をとることができる。
【００３８】
制御部３１、記憶部３２、入力部３４、通信部３５の機能は前記した制御部２０１、記憶部２０２、入力部２０３、通信部２０４と略同様である。また表示部３３は液晶パネル等のディスプレイ装置を有する。
【００３９】
なお、記憶部３２には後述する処理をサーバ３に実行させるためのプログラムが格納される。また入力部３４はキーボード、マウス等のポインティングデバイス、テンキー等の入力装置を有する。
【００４０】
図１の説明に戻る。ユーザ端末５はユーザが所持するコンピュータ端末であり、例えばスマートフォン等の携帯端末を用いることができる。
【００４１】
図６はユーザ端末５のハードウェア構成を示す図である。図６に示すように、ユーザ端末５は制御部５１、記憶部５２、表示部５３、入力部５４、通信部５５、カメラ５６、音声入出力部５７等をバス等により接続して構成される。但し、これに限ることなく、適宜様々な構成をとることができる。
【００４２】
制御部５１、記憶部５２、入力部５４、通信部５５の機能は前記した制御部２０１、記憶部２０２、入力部２０３、通信部２０４と略同様である。また表示部５３は液晶パネル等のディスプレイ装置を有し、入力部５４としてのタッチパネルが設けられている。音声入出力部５７はマイクやスピーカー等である。
【００４３】
なお、記憶部５２には画像ダウンロードを行うための専用のアプリケーションプログラムが格納されており、これにより後述する処理（図１０）をユーザ端末５によって実行させる。
【００４４】
次に、撮影システム１で行われる処理について説明する。図７は写真撮影装置２とサーバ３との間で実行される画像アップロード処理の手順を示すフローチャートであり、図８は画像アップロード処理の概要を説明する図である。
【００４５】
図７に示すように、画像を撮影するユーザは写真撮影装置２の中に入る。すると、写真撮影装置２はセンサ２９によってユーザ（被写体７）を検知して、写真撮影装置２内を照らす照明２４を点灯する。また写真撮影装置２は、ユーザの検知に伴い表示部２１にトップ画面を表示させる。トップ画面では、まず課金を促すメッセージを表示させる。ユーザは画像を確認し、課金部２２にて課金を行う。課金は現金のほか電子マネーによって行うこともでき、ユーザの滞在時間を減らすため、画像プリントサービスを行う場合電子マネーのみの使用とすることも可能である（ステップＳ１０１）。
【００４６】
写真撮影装置２は、課金を受け付けると、写真の撮影処理を開始する（ステップＳ１０２）。撮影処理では、ユーザ（被写体７）が表示部２１に表示される「撮影」ボタンを押下すると、写真撮影装置２の制御装置２０は、写真の撮影を開始する。このとき、制御装置２０は、背景モニタ２７に既定の背景色（グリーンまたはブルー等の単色）を表示する。
【００４７】
撮影処理では、既定回数、例えば３回連続して撮影を行う。写真の撮影中、制御装置２０は、撮影部２３により撮像中のカメラ画像と撮影された写真の画像（撮影画像）とを並べて表示部２１に表示するようにしてもよい。所定枚数の撮影画像が生成されると、制御装置２０は、プリントする撮影画像を選択するためのプレビュー画面を表示し、ユーザによる撮影画像の選択を受け付ける。ユーザは、プレビュー画面に表示されている複数の撮影画像の中から出力する撮影画像８０を選択し、ＯＫボタンを押下する。すると、制御装置２０は、選択された撮影画像８０に対して背景除去処理を行う（ステップＳ１０３）。
【００４８】
背景除去処理では、クロマキーにより背景を除去する処理を行う。すなわち、撮影画像８０における背景色部分と被写体部分とを判別して撮影画像８０の背景色部分を透過させた画像（背景除去画像８１）を生成する。具体的には、制御装置２０は、撮影画像８０内の被写体と背景色との色差を判別し、撮影画像８０の背景色部分を透過させる。ここで判別される色差とは、色相差、彩度差、又は色相差及び彩度差の組み合わせである。また、制御装置２０は、背景色部分と被写体部分との判別の際に、表示部２１（タッチパネル）を介して入力された人物位置情報を利用してもよい。
【００４９】
制御装置２０は、生成した背景除去画像８１をプレビュー画面に表示し、ユーザによる確認を受け付ける（ステップＳ１０４）。ステップＳ１０４において、「やり直し」が指示された場合は（ステップＳ１０４；やり直し）、ステップＳ１０２の撮影処理に戻る。ステップＳ１０４において「ＯＫ」が選択された場合は（ステップＳ１０４；ＯＫ）、制御装置２０は、背景除去画像８１の識別情報であるパスコード４１を発行する（ステップＳ１０５）。制御装置２０は、ステップＳ１０３で生成した背景除去画像８１とステップＳ１０５で発行したパスコード４１とをサーバ３に送信（アップロード）する（ステップＳ１０６）。
【００５０】
サーバ３は、写真撮影装置２から背景除去画像８１及びパスコード４１を受信すると（ステップＳ１０７）、パスコード４１と背景除去画像８１とを紐づけて記憶部３２に記憶する（ステップＳ１０８）。
【００５１】
写真撮影装置２は、ステップＳ１０５で発行したパスコード４１を記載したダウンロードチケット４０を作成して所定の用紙にプリントし（ステップＳ１０９）、画像アップロード処理を終了する。
【００５２】
図９はダウンロードチケット４０の一例である。ダウンロードチケット４０には、背景除去画像８１を作成した際に発行されたパスコード４１「１２３４−５６７８」や、サーバ３のＵＲＬ情報を有する２次元コード４２、及びサーバ３のＵＲＬ４３等が印刷される。また、ダウンロードチケット４０には画像のダウンロード手順４４等も記載されることが望ましい。
【００５３】
次に、撮影システム１のサーバ３とユーザ端末５との間で行われる画像ダウンロード処理について説明する。図１０は画像ダウンロード処理の手順を示すフローチャートである。
【００５４】
写真撮影装置２で撮影を行い、ダウンロードチケット４０を受け取ったユーザは、自身のユーザ端末５で画像ダウンロードアプリケーションを立ち上げ、サーバ３にアクセスする（ステップＳ１１０）。或いは、ダウンロードチケット４０に印刷されている２次元コード４２をカメラ５６で読み取って画像ダウンロードサイトのサーバ３にアクセスしてもよいし、ダウンロードチケット４０に印刷されているＵＲＬをブラウザに入力して画像ダウンロードサイトのサーバ３にアクセスしてもよい。サーバ３は、ユーザ端末５にコード入力画面９１（図１１（ａ））を送信する（ステップＳ１１１）。
【００５５】
ユーザ端末５は、サーバ３から送信されたコード入力画面９１を表示部５３に表示する。コード入力画面９１には、コード入力欄９１ａ及びＯＫボタン９１ｂ等が設けられる。ユーザは、コード入力画面９１のコード入力欄９１ａにダウンロードチケット４０に表記されているパスコード４１を入力する。コード入力欄９１ａにパスコード４１が入力され、ＯＫボタン９１ｂがタッチされると、ユーザ端末５の制御部５１は、サーバ３にパスコード４１を送信する（ステップＳ１１２）。
【００５６】
サーバ３は、ユーザ端末５からパスコード４１を受信すると（ステップＳ１１３）、受信したパスコード４１に該当する背景除去画像８１を記憶部３２から検索し、ユーザ端末５に送信する（ステップＳ１１４）。ユーザ端末５は、サーバ３から送信された背景除去画像８１を受信し、表示部５３に表示する（ステップＳ１１５）。
【００５７】
図１１（ｂ）は、ステップＳ１１５で表示部５３に表示される画像ダウンロード画面９２の一例である。画像ダウンロード画面９２には、サーバ３から受信した背景除去画像８１を表示する画像表示欄９２ａや削除ボタン９２ｂが設けられる。
【００５８】
背景除去画像８１をユーザ端末５の記憶部５２に保存する場合は、ユーザは画像表示欄９２ａに表示されている背景除去画像８１を長押しするか、またはダウンロードボタン（不図示）を押下するといった操作を行う（ステップＳ１１６）。また、所定のダウンロード期間内にサーバ３に記憶されている画像を削除したい場合は、ユーザが削除ボタン９２ｂを押下することで、サーバ３の記憶部３２から該当する背景除去画像８１が削除される。
【００５９】
これにより、ユーザはユーザ端末５にダウンロードされた背景除去画像８１を記憶部５２に保存したり、画像編集アプリ等を使用して自由に画像の編集を行ったりすることができる。
【００６０】
以上の処理により、撮影システム１では、写真撮影装置２で撮影画像８０の背景除去画像８１を作成し、サーバ３にアップロードすることが可能となる。また、ユーザ端末５からサーバ３にアクセスすることで、背景除去画像８１をユーザ端末５にダウンロードすることが可能となる。ユーザ端末５はサーバ３からダウンロードした背景除去画像８１を用いて、自在に画像の編集を行えるようになる。
【００６１】
［第２の実施の形態］
次に、図１２及び図１３を参照して、本発明の第２の実施の形態について説明する。
第１の実施の形態では、背景色を既定の色とする例を挙げたが、ユーザ（被写体７）の服装に背景色と同一の色が含まれる場合には、背景との色差が生じないため服装の一部が抜けた背景除去画像８１が作成されてしまう虞がある。そこで、本発明の第２の実施の形態では、背景色をユーザが選択可能とする例について説明する。なお、第２の実施の形態の撮影システム１の装置構成は、第１の実施の形態と同様であるため説明を省略し、以下、第１の実施の形態と同一の各部は同一の符号を付して説明する。
【００６２】
図１２は、第２の実施の形態の撮影システム１において、写真撮影装置２とサーバ３との間で行われる画像アップロード処理の流れを示す図である。第１の実施の形態の画像アップロード処理（図７）と異なる点は、ステップＳ２０２〜ステップＳ２０３の背景色の選択及び変更処理が含まれる点である。
【００６３】
まず、第１の実施の形態の画像アップロード処理と同様に、画像を撮影するユーザが写真撮影装置２の中に入ると、写真撮影装置２はセンサ２９によってユーザ（被写体７）を検知して、照明２４の点灯、トップ画面を表示部２１に表示する。トップ画面に表示される課金を促すメッセージに従ってユーザが課金部２２にて課金を行う（ステップＳ２０１）。
【００６４】
写真撮影装置２は、課金を受け付けると、表示部２１に背景色選択画面７１を表示し、ユーザによる背景色の選択を受け付ける（ステップＳ２０２）。
【００６５】
図１３に背景色選択画面７１の例を示す。図１３に示すように、背景色選択画面７１には、選択可能な背景色のサンプル画像２７ａ、２７ｂ、２７ｃが複数表示される。また、「背景の色を選んでね」というメッセージ７１ａや「着ている服と違う色を選ぼう！」というメッセージ７１ｂが表示される。なお、選択可能な背景色は、グリーン２７ａ、ブルー２７ｂ、レッド２７ｃ等であるが、これに限定されない。
【００６６】
ユーザの操作により背景色が選択されると、写真撮影装置２の制御装置２０は、背景モニタ２７に表示する色をステップＳ２０２で選択された色に変更する（ステップＳ２０３）。なお、背景色をロールスクリーンで変更する場合には、予め用意された各色のロールスクリーンの中から選択された色のロールスクリーンを使用するよう変更する。
【００６７】
背景モニタ２７の色が変更されると、写真撮影装置２は、写真の撮影処理を行う（ステップＳ２０４）。撮影処理では、ユーザ（被写体７）が表示部２１に表示される「撮影」ボタンを押下すると、写真撮影装置２の制御装置２０は、写真の撮影を開始する。
制御装置２０は、撮影画像８０をプレビュー画面に表示してユーザによる確認を受け付ける。ユーザがＯＫボタンを押下すると、制御装置２０は撮影画像８０に対して背景除去処理を行う（ステップＳ２０５）。
【００６８】
制御装置２０は、生成した背景除去画像８１をプレビュー画面に表示し、ユーザによる確認を受け付ける（ステップＳ２０６）。ステップＳ２０６において、「やり直し」が指示された場合は（ステップＳ２０６；やり直し）、ステップＳ２０２の背景色の選択処理に戻る。
【００６９】
図１３に示すように、背景色選択画面７１において、例えば、色２７ｂ（例えば、ブルー）が選択された場合、写真撮影装置２の背景が色２７ｂ（例えば、ブルー）に変更される。背景の前に立つユーザ（被写体７）の服装に、背景の色２７ｂと同じ色の模様７５が含まれている場合は、撮影画像８０に対して背景除去処理を行うと、模様７５が背景色とともに除去されて透明化されてしまうが、背景色２７ｂを服装の模様７５の色と異なる色に設定すれば、背景色とともに模様７５が透明化されてしまうことがない。
【００７０】
背景色を変更して撮影した撮影画像８０に対して背景除去処理が行われ、背景除去画像８１が作成され、ステップＳ２０６において「ＯＫ」が選択された場合は（ステップＳ２０６；ＯＫ）、制御装置２０は、背景除去画像８１の識別情報であるパスコード４１を発行し（ステップＳ２０７）、ステップＳ２０５で生成した背景除去画像８１とともにサーバ３に送信（アップロード）する（ステップＳ２０８）。
【００７１】
サーバ３は、写真撮影装置２から背景除去画像８１及びパスコード４１を受信すると（ステップＳ２０９）、パスコード４１と背景除去画像８１とを紐づけて記憶部３２に記憶する（ステップＳ２１０）。
【００７２】
写真撮影装置２は、ステップＳ２０７で発行したパスコード４１を記載したダウンロードチケット４０（図９参照）を所定の用紙にプリントし（ステップＳ２１１）、画像アップロード処理を終了する。
【００７３】
サーバ３にアップロードされた背景除去画像８１は、第１の実施の形態と同様に、ユーザが自身のユーザ端末５にダウンロードすることができる（図１０の画像ダウンロード処理）。
【００７４】
このように、第２の実施の形態では、ユーザの服装と背景色とを異なる色に設定できるため、背景除去画像８１において被写体部分の色が抜けてしまうことを防ぐことが可能となる。
【００７５】
［第３の実施の形態］
次に、図１４を参照して、本発明の第３の実施の形態について説明する。第３の実施の形態では、背景色の変更をユーザが指示するのではなく、写真撮影装置２が適切な背景色を判断して自動で設定する例について説明する。なお、第３の実施の形態の撮影システム１の装置構成は、第１の実施の形態と同様であるため説明を省略し、以下、第１の実施の形態と同一の各部は同一の符号を付して説明する。
【００７６】
図１４は、第３の実施の形態の撮影システム１において、写真撮影装置２とサーバ３との間で行われる画像アップロード処理の流れを示す図である。
【００７７】
まず、第１の実施の形態の画像アップロード処理と同様に、画像を撮影するユーザが写真撮影装置２の中に入ると、写真撮影装置２はセンサ２９によってユーザ（被写体７）を検知して、照明２４の点灯、トップ画面を表示部２１に表示する。トップ画面に表示される課金を促すメッセージに従ってユーザが課金部２２にて課金を行う（ステップＳ２０１）。
【００７８】
写真撮影装置２は、課金を受け付けると、写真撮影装置２の制御装置２０は、プレ撮影を実行する（ステップＳ３０２）。プレ撮影は、写真の本撮影（シャッター）の前に行われる予備的な撮影であり、静止画または動画のいずれでもよい。制御装置２０は撮影部２３に対してプレ撮影を指示し、被写体７の画像（静止画または動画）を取得する（ステップＳ３０２）。
【００７９】
制御装置２０は、取得した画像から被写体７の領域（例えば、服領域）を認識し、被写体領域に含まれる色を解析して、被写体領域の色と最も異なる色を背景色として設定する（ステップＳ３０３）。
【００８０】
その後、写真撮影装置２は、写真の撮影処理を開始する（ステップＳ３０４）。撮影処理では、ユーザ（被写体７）が表示部２１に表示される「撮影」ボタンを押下すると、写真撮影装置２の制御装置２０は、写真の撮影を開始する。制御装置２０は、撮影画像８０をプレビュー画面に表示してユーザによる確認を受け付ける。ユーザがＯＫボタンを押下すると、制御装置２０は、撮影画像８０に対して背景除去処理を行う（ステップＳ３０５）。
【００８１】
制御装置２０は、生成した背景除去画像８１をプレビュー画面に表示し、ユーザによる確認を受け付ける（ステップＳ３０６）。ステップＳ３０６において、「やり直し」が指示された場合は（ステップＳ３０６；やり直し）、制御装置２０は、背景色を変更し（ステップＳ３０７）、ステップＳ３０４の撮影処理に戻る。
【００８２】
ステップＳ３０７では、制御装置２０は、背景色をステップＳ３０３で設定した色とは異なる色であって、被写体領域に含まれる色とはできるだけ異なる色に設定する。
【００８３】
背景色を変更して撮影した撮影画像８０に対して背景除去処理を行い、ステップＳ３０６において「ＯＫ」が選択された場合は（ステップＳ３０６；ＯＫ）、制御装置２０は、背景除去画像８１の識別情報であるパスコード４１を発行し（ステップＳ３０８）、ステップＳ３０５で生成した背景除去画像８１とともにサーバ３に送信（アップロード）する（ステップＳ３０９）。
【００８４】
サーバ３は、写真撮影装置２から背景除去画像８１及びパスコード４１を受信すると（ステップＳ３１０）、パスコード４１と背景除去画像８１とを紐づけて記憶部３２に記憶する（ステップＳ３１１）。
【００８５】
写真撮影装置２は、ステップＳ３０８で発行したパスコード４１を記載したダウンロードチケット４０（図９参照）を所定の用紙にプリントし（ステップＳ３１２）、画像アップロード処理を終了する。
【００８６】
サーバ３にアップロードされた背景除去画像は、第１の実施の形態と同様に、ユーザが自身のユーザ端末５にダウンロードすることができる（図１０の画像ダウンロード処理）。
【００８７】
第３の実施の形態では、写真撮影装置２が被写体領域の色を解析し、適切な背景色を設定するため、ユーザが色を選択しなくても、背景除去画像８１において被写体部分の色が抜けてしまうことを防ぐことが可能となる。
【００８８】
なお、最初に設定する背景色は、予め定められた初期設定色とし、背景除去処理の後の確認（ステップＳ３０６）で「やり直し」が指示された場合に、制御装置２０による被写体領域の色の解析処理を行って適切な背景色を設定する手順としてもよい。この場合は、「やり直し」が指示された場合にのみ被写体領域の色の解析処理を行うため、制御装置２０の負荷が削減される。
【００８９】
また、写真撮影装置２は、背景色を変更しながら複数回撮影を行い、各撮影画像８０に対してそれぞれ背景除去処理を行って、最も良好な背景除去画像（例えば、被写体領域において色の抜ける量が最も少ない画像）を制御装置２０またはユーザが選択して、サーバ３へ送信するようにしてもよい。
【００９０】
以上説明したように、本発明の撮影システム１において、写真撮影装置２は、写真撮影装置２で撮影した画像から背景を切り抜いた画像をユーザ端末５で手軽にダウンロードできる。そのため、ユーザはユーザ端末５で背景除去画像８１と所望の背景とを合成するなど、画像を自分の好きなように加工、編集することができ、満足のいく画像を得ることが可能となる。また、多くの利用客が順番に利用する写真撮影装置２では実施しにくい編集作業を、ユーザ端末５で落ち着いて行うことができるため、ユーザにとって満足度の高いサービスを提供することが可能となる。また、写真撮影装置２の待ち時間が減少し、顧客の回転率も向上する。
【００９１】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００９２】
１：撮影システム
２：写真撮影装置
３：サーバ
５：ユーザ端末
６：ネットワーク
７：被写体
２０：制御装置
２１：表示部
２２：課金部
２３：撮影部
２４：照明
２５：プリンタ
２６：プリント物取出口
２７：背景モニタ
２７ａ、２７ｂ、２７ｃ：背景色
２８：カーテン
２９：センサ
４０：ダウンロードチケット
４１：パスコード（識別情報）
７１：背景色選択画面
８０：撮影画像
８１：背景除去画像
９１：コード入力画面
９２：画像ダウンロード画面
【図１】
2019149617.tif 000003
【図２】
2019149617.tif 000004
【図３】
2019149617.tif 000005
【図４】
2019149617.tif 000006
【図５】
2019149617.tif 000007
【図６】
2019149617.tif 000008
【図７】
2019149617.tif 000009
【図８】
2019149617.tif 000010
【図９】
2019149617.tif 000011
【図１０】
2019149617.tif 000012
【図１１】
2019149617.tif 000013
【図１２】
2019149617.tif 000014
【図１３】
2019149617.tif 000015
【図１４】
2019149617.tif 000016